(57)【要約】【課題】直方体形状又は円筒形状の区別無く、紙箱として一定の強度を有しつつも構成や組み立てが極めて簡単にできる紙箱の構成を、新たに提案する。【解決手段】底板、外枠、中枠、蓋から成る紙箱であって、上記外枠２を長尺で一定幅な板体によって設け、当該外枠２の一端部の上縁から下縁に向けて一定長の切り込み３ａを設け、当該外枠２の他端部の下縁から上縁に向けて一定長の切り込み３ｂを設け、当該外枠２より細幅で短尺な板体によって中枠を設け、上記外枠２を巻き回して一端の切り込み３ａに他端の切り込み３ｂを差し込んで筒状に設け、当該筒状に設けた外枠２の底面に位置する開口部に底板を設け、さらに上面に位置する開口部から巻き回して筒状に設けた中枠を外枠２の内周面に沿って嵌め入れ、さらに当該開口部に蓋６を落として上記中枠の上縁で支持した。【選択図】図１
2005212802.tif 000002
【特許請求の範囲】
【請求項１】
底板、外枠、蓋から成る紙箱であって、
上記外枠を長尺で一定幅な板体によって設け、当該外枠の一端部の上縁から下縁に向けて一定長の切り込みを設け、当該外枠の他端部の下縁から上縁に向けて一定長の切り込みを設け、
上記外枠を巻き回して一端の切り込みに他端の切り込みを差し込んで筒状に設け、当該筒状に設けた外枠の底面に位置する開口部に底板を設け、さらに上面に位置する開口部に蓋を被せたことを特徴とする、組み立て紙箱。
【請求項２】
底板、外枠、中枠、蓋から成る紙箱であって、
上記外枠を長尺で一定幅な板体によって設け、当該外枠の一端部の上縁から下縁に向けて一定長の切り込みを設け、当該外枠の他端部の下縁から上縁に向けて一定長の切り込みを設け、当該外枠より細幅で短尺な板体によって中枠を設け、
上記外枠を巻き回して一端の切り込みに他端の切り込みを差し込んで筒状に設け、当該筒状に設けた外枠の底面に位置する開口部に底板を設け、さらに上面に位置する開口部から巻き回して筒状に設けた中枠を外枠の内周面に沿って嵌め入れ、さらに当該開口部に蓋を落として上記中枠の上縁で支持したことを特徴とする、組み立て紙箱。
【請求項３】
上記外枠及び中枠を略扇形状に設け、組立てた箱の側面をテーパー状に設けたことを特徴とする、上記請求項１又は２の何れかに記載の組み立て紙箱。
【請求項４】
当該紙箱の蓋の上に別途組立てた同様の紙箱を重ねることを特徴とする、上記請求項１乃至３の何れかに記載の組み立て紙箱。
【請求項５】
上記外枠の上縁を一定間隔で複数の山形状又は凹凸状に設け、当該紙箱を組立てた後、当該紙箱の下からリボンを回して、上記山形状又凹凸状によって形成された各凹部に係止して当該紙箱の上面で当該リボンを結んだことを特徴とする、上記請求項２乃至４の何れかに記載の組み立て紙箱。
【発明の詳細な説明】
【技術分野】
【０００１】
この発明は、洋菓子や和菓子などを入れて持ち運ぶもので、簡単に組み立てられる紙から成る組み立て箱に関するものである。
【背景技術】
【０００２】
従来から、洋菓子や和菓子などを入れて持ち運ぶのに紙箱が組み立てが容易で軽量であり、かつ安価なため盛んに使用されている。これらの紙箱は、貼着や折り込みなど工場において出来得る組み立て可能な部分までを工場で行い、小売店の店頭において、最後の組み立てだけの状態にして出荷し、使用されているものが多い。
【０００３】
一方この様な紙箱は、もっぱら直方体形状のものが多いが、装飾性を持たせて購買意欲を高めるなどの理由から、様々に趣向を凝らし、例えば円筒形状などの紙箱も使用されている。これらの円筒形状の紙箱については、一般的に巻き回した側板を底板に貼着し、さらに巻き回した側板の内側に薄紙を巻き込むことで形成されている。それ故、手間もかかって作業性が悪く、店頭において簡単に組み立てられるというものではない。そのため円筒形状の箱体については、店頭において多く組み立てられたものを用意しておくというものであった。
【発明の開示】
【発明が解決しようとする課題】
【０００４】
しかしながら、これらの円筒形状の紙箱に限らず、直方体形状の紙箱にあっても、一定の強度を有しつつも構成や組み立てがさらに簡単なものがあれば、それらは望まれるものである。
【０００５】
この発明は、直方体形状又は円筒形状の区別無く、紙箱として一定の強度を有しつつも構成や組み立てが極めて簡単にできる紙箱の構成を、新たに提案して、上記課題を解決するものである。
【課題を解決するための手段】
【０００６】
請求項１の発明は、底板、外枠、蓋から成る紙箱であって、上記外枠を長尺で一定幅な板体によって設け、当該外枠の一端部の上縁から下縁に向けて一定長の切り込みを設け、当該外枠の他端部の下縁から上縁に向けて一定長の切り込みを設け、上記外枠を巻き回して一端の切り込みに他端の切り込みを差し込んで筒状に設け、当該筒状に設けた外枠の底面に位置する開口部に底板を設け、さらに上面に位置する開口部に蓋を被せた組み立て紙箱とした。
【０００７】
請求項２の発明は、底板、外枠、中枠、蓋から成る紙箱であって、上記外枠を長尺で一定幅な板体によって設け、当該外枠の一端部の上縁から下縁に向けて一定長の切り込みを設け、当該外枠の他端部の下縁から上縁に向けて一定長の切り込みを設け、当該外枠より細幅で短尺な板体によって中枠を設け、上記外枠を巻き回して一端の切り込みに他端の切り込みを差し込んで筒状に設け、当該筒状に設けた外枠の底面に位置する開口部に底板を設け、さらに上面に位置する開口部から巻き回して筒状に設けた中枠を外枠の内周面に沿って嵌め入れ、さらに当該開口部に蓋を落として上記中枠の上縁で支持した組み立て紙箱とした。
【０００８】
請求項３の発明は、上記外枠及び中枠を略扇形状に設け、組立てた箱の側面をテーパー状に設けた上記請求項１又は２の何れかに記載の組み立て紙箱とした。また請求項４の発明は、当該紙箱の蓋の上に別途組立てた同様の紙箱を重ねる上記請求項１乃至３の何れかに記載の組み立て紙箱とした。請求項５の発明は、上記外枠の上縁を一定間隔で複数の山形状又は凹凸状に設け、当該紙箱を組立てた後、当該紙箱の下からリボンを回して、上記山形状又凹凸状によって形成された各凹部に係止して当該紙箱の上面で当該リボンを結んだ上記請求項２乃至４の何れかに記載の組み立て紙箱とした。
【発明の効果】
【０００９】
請求項１の発明によれば、上記外枠を巻き回して一端の切り込みに他端の切り込みを差し込んで筒状に設けて紙箱の側板を形成したので、紙箱の側板が極めて簡単かつ迅速に形成することが出来、またこの様にして形成された側板に底板を設けかつ蓋を被せたので、一定の強度を有する紙箱が、円筒形状又は直方体形状を問わず、非常に容易に形成することが出来る。
【００１０】
請求項２の発明によれば、外枠を巻き回して一端の切り込みに他端の切り込みを差し込んで筒状に設けて紙箱の側板を形成したので、紙箱の側板が極めて簡単かつ迅速に形成することが出来、この様にして形成された側板に底板、中枠及び蓋を嵌め入れ、中枠の上縁で蓋を支持したので、さらに強度を有する紙箱が、円筒形状又は直方体形状を問わず、非常に容易に形成することが出来る。また請求項３の発明によれば、上記外枠及び中枠を略扇形状に設け、組立てた箱の側面をテーパー状に設けたので、組み立てた紙箱の傾斜した外枠の内側面で底板を確実に支持することが出来るので、より強度を有した紙箱を形成することが出来る。
【００１１】
さらに請求項４の発明によれば、紙箱の蓋の上に別途組立てた同様の紙箱を重ねたので、複数の紙箱の組合せやバリエーションを楽しむことが出来る。請求項５の発明によれば、外枠の上縁を一定間隔で複数の山形状又は凹凸状に設け、これらの上記山形状又凹凸状によって形成された各凹部にリボンを回して紙箱の上面でこのリボンを結んだので、見た目にもきれいでかわいく、紙箱だけのものより、装飾性を大きく加味することが出来、需要者の購買力を喚起させるものである。
【発明を実施するための最良の形態】
【００１２】
底板、外枠、中枠、蓋から成る紙箱であって、上記外枠を長尺で略扇形状の一定幅な板体によって設け、この外枠の一端部の上縁から下縁に向けて一定長の切り込みを設け、この外枠の他端部の下縁から上縁に向けて一定長の切り込みを設け、この外枠の上縁を一定間隔で複数の山形状に設け、この外枠より細幅で略扇形状の短尺な板体によって中枠を設け、上記外枠を巻き回して一端の切り込みに他端の切り込みを差し込んでテーパーを有する筒状に設け、この筒状に設けた外枠の底面に位置する開口部に底板を嵌め入れて設け、さらに上面に位置する開口部から、巻き回して筒状に設けた中枠を外枠の内周面に沿って嵌め入れ、さらにこの開口部に蓋を落として上記中枠の上縁で支持し、この紙箱を組立てた後この紙箱の下からリボンを回して、上記山形状によって形成された各凹部に係止してこの紙箱の上面で当該リボンを結んだ。
【実施例１】
【００１３】
次にこの発明の実施例の紙箱を図に基づいて説明する。
この実施例の紙箱Ａは、円筒形状で底板１、外枠２、中枠５、蓋６から成る。この外枠２は、図２に示す様に、長さ約５２０ｍｍ、幅約６０ｍｍの長尺な扇形状の板体によって設け、この外枠２の一端部の縁２ａから約１５ｍｍの位置で上縁から下縁に向けて約３０ｍｍの直線状の切り込み３ａを設け、この外枠２の他端部の縁２ｂから約１５ｍｍの位置で下縁から上縁に向けて約３０ｍｍの直線状の切り込み３ｂを設けており、外枠２の一端部の切り込み３ａと他端部の切り込み３ｂの間の上縁にゆるやかな山形状の突出部４を四つ設けている。
【００１４】
また図３に示す様に、この外枠２と同じ角度の長尺な扇形状で、長さ約４８０ｍｍ、幅約４７ｍｍの板体によって中枠５を設けており、この中枠５の両端部には、切り込みを設けておらず、またこの中枠５の上縁には、外枠２のように山形状の突出部を設けていない。さらに図４に示す様に、上記底板１は、直径約１５０ｍｍの円板によって設け、上記蓋６は、図５に示す様に、直径約１５８ｍｍの円板によって設けており、またこの蓋６の中央部には、直径２０ｍｍの貫通孔６ａを穿っている。
【００１５】
次に、紙箱Ａを組み立てて使用する様子を説明する。
図２の状態で、外枠２を巻き回して一端部の切り込み３ａに上方から他端部の切り込み３ｂを差し込んで係止し、上面の開口部が底面の開口部より大きいすり鉢状のテーパーを有する筒状に設ける。この筒状に設けた外枠２の上面の開口部から底板１を嵌め入れて傾斜した外枠２の内側面と当接した箇所で支持する。さらに図６に示す様に、この外枠２の中に巻き回して筒状に設けただけの中枠５を外枠２の内周面に沿って嵌め入れて底板１上で支持する。そして図１に示す様に、この外枠２の上面の開口部に蓋６を落として上記中枠５の上縁５ａで支持する。この蓋６を外す際には、蓋６の中央に設けた貫通孔６ａに人差し指を入れて、この人差し指と親指で蓋６を把持して持ち上げる。
【００１６】
この様にして形成した紙箱Ａの中に、例えば一つづつ包装した菓子を多数入れ、上記の蓋６をして、この紙箱Ａの下から２本のリボン７を回し、外枠２の上縁の山形状の突出部４と突出部４の間の各凹部８に係止してこの紙箱Ａの蓋６の上で結んで装飾性を加えても良い。またこの紙箱Ａは、同形同大のものを２つ重ねて、又は小型のものを上に重ねて、図７に示す様に、その上からリボンを掛けるようにしても良い。
【００１７】
さらに外枠２の上縁に設けた山形状の突出部４に代えて、この箇所を図８に示す様に、山形状で頂上部分に逆三角形状の切り欠き９ａを設けた、桜の花びら状の突出部９を設けても良い。
また他の実施例として、中枠５及び落とし蓋である蓋６を用いず、蓋として外枠２に対して上方から被せ、外枠２の上縁で支持するタイプのものを使用しても良い（図示省略）。
さらに他の実施例として、外枠２の側面を花びら形状、葉形状、動物の形状などに一つ又は複数切り抜いて、内側に嵌め入れる中枠６と異なる色の外枠２にすると（図示省略）、これらの形状がはっきりと認識され、さらに箱としての装飾性も上がり、購買意欲も喚起される。
【００１８】
なお上記実施例では、紙箱Ａを形成する底板１、外枠２、中枠５、蓋６の大きさを表す具体的な数値を記載しているが、これらの数値に限定するものではない。またこの紙箱Ａは、円筒形状としたが、円筒形状に限るものではなく、角筒形状や多角形筒状のものでもよい。さらにテーパー形状の円筒形状としたがテーパー形状とすることは、この発明の必須要件ではなく、また外枠２の上縁に山形状の突出部４や桜の花びら状の突出部９を設けているが、これらの様に必ずしも突出部４、９を設けなくとも良く、さらに組み立てたこの紙箱Ａの上からリボン７を掛けて結ぶこともこの発明の必須要件ではない。また組み立てたこの紙箱Ａを２つ重ねて使用しているが、紙箱Ａとして重ねる個数としては、可能な限る何個でも良く、２個に限定するものではなく、蓋６についても、中央に貫通孔６ａを設けたものに限定するものではない。また外枠２は、両端部の切り込み３ａ、３ｂを相互に差し込んだだけで筒状にしても良く、この上からこれらの端部を貼着しても良い。さらに外枠２に対して底板１は、外枠２がテーパー形状のものは、嵌め入れるだけでよく、テーパー形状でないものは貼着して固定する。
【図面の簡単な説明】
【００１９】
【図１】この発明の実施例の紙箱の斜視図である。
【図２】この発明の実施例の紙箱を形成する外枠の展開図である。
【図３】この発明の実施例の紙箱を形成する中枠の展開図である。
【図４】この発明の実施例の紙箱を形成する底板の平面図である。
【図５】この発明の実施例の紙箱を形成する蓋の平面図である。
【図６】この発明の実施例の紙箱の蓋をしていない状態の斜視図である。
【図７】この発明の実施例の紙箱を２つ重ね、さらに下からリボンを掛けた状態の斜視図である。
【図８】この発明の実施例の紙箱の外枠の上縁を桜の花びら状に設けた状態の斜視図である。
【符号の説明】
【００２０】
Ａ    紙箱
１    底板                        ２    外枠
３ａ  一端部の切り込み            ３ｂ  他端部の切り込み
４    外枠の上縁の山形状の突出部  ５    中枠
６    蓋                          ６ａ  蓋の中央に穿った貫通孔
７    リボン                      ８    外枠の上縁の凹部
【図１】
2005212802.tif 000003
【図２】
2005212802.tif 000004
【図３】
2005212802.tif 000005
【図４】
2005212802.tif 000006
【図５】
2005212802.tif 000007
【図６】
2005212802.tif 000008
【図７】
2005212802.tif 000009
【図８】
2005212802.tif 000010